(57)【要約】【課題】本発明は、クサビ自体に抜止め突起が一体形成されているにも拘わらずその楔着作業を極めて容易に、しかも、確実かつ強固に作業能率よく行うことが出来る仮設足場用連結具を提供するものである。【解決手段】略コ字形状の連結金具１と、該連結金具１を支柱１１に楔着せしめるクサビ５とよりなり、上記連結金具１はその上下自由端部に略長方形状の上下部クサビ孔２・３が互いに直交すべく形成され、他方、クサビ５はその基部６が連結金具１の上部クサビ孔２に挿入自在な横断面略長方形状に、同先部７が上下部クサビ孔２・３に挿入自在な横断面略正方形状に形成されると共に、該先部７には上部クサビ孔２に挿入して所要角度に回転作動せしめるべく小径部９が形成され、かつ、先部７の先端には上下部クサビ孔２・３に挿入自在とされた抜止め突起８が基部６長辺部に対して直交状に突設された構成よりなる。【選択図】      図１
2004360187.tif 000002
【特許請求の範囲】
【請求項１】
仮設足場用支柱に所要の足場部材を連結せしめるべく略コ字形状に形成された連結金具と、該連結金具を被楔着部材付き支柱に楔着せしめるべく所要の長さに形成されたクサビとよりなり、上記連結金具はその上下自由端部に各々略長方形状の上下部クサビ孔が互いに直交すべく形成され、他方、クサビはその基部が連結金具の上部クサビ孔に挿入自在な横断面略長方形状に、同先部が上下部クサビ孔に挿入自在な横断面略正方形状に各々形成されると共に、該先部には上部クサビ孔に挿入して所要角度に回転作動せしめるべく小径部が形成され、かつ、先部の先端には上下部クサビ孔に挿入自在とされた所要幅の抜止め突起が基部長辺部に対して直交状に突設されてなることを特徴とする、仮設足場用連結具。
【請求項２】
クサビの小径部は、先部の所要角部を切欠いて形成されてなることを特徴とする、請求項１記載の仮設足場用連結具。
【発明の詳細な説明】
【０００１】
【発明の属する技術分野】
本発明は仮設足場用連結具に関し、更に詳細には、所要の仮設足場を構成する支柱に手摺わくや水平つなぎ材など所要の仮設部材を連結せしめるさいに使用する仮設足場用連結具に関する。
【０００２】
【従来の技術】
従来より、この種の仮設足場用連結具としては、例えば実公平５−４０１９３号公報（特許文献１）記載のものが知られており、これを図９に基づいて説明する。
即ち、同図中、５１は断面コ字形状とされた連結金具、５２・５３は該連結金具５１の上下自由端部に各々対向状に形成された細長な長方形状の上下部クサビ孔で、上記連結金具５１は後記する水平つなぎ材６１の両端部に各々固着せしめるものとされている。５４は上記連結金具５１の上下部クサビ孔５２・５３に挿入自在とされた基端部にストッパ−用フランジ５５を有する略板状クサビ、５６はクサビ５４の先端部に穿設された抜止ピン用挿着孔、５７は該挿着孔５６に挿着自在とされた抜止めピンである。
その他、５８は所要の仮設足場を構成する金属パイプ製支柱、５９は該支柱５８の所定個所に外嵌状に嵌着された被楔着用フランジ、６０は該フランジ５９の外周縁に沿って同一円周上に所定ピッチ毎に穿設された楔着孔である。６１は金属パイプ製水平つなぎ材である。
【０００３】
上述の如く構成された従来例において、水平つなぎ材６１を支柱５８に連結せしめるさいには、水平つなぎ材６１に固着せしめた連結金具５１をフランジ５９に嵌合せしめると共に、上下部クサビ孔５２・５３を所要の楔着孔６０に合致せしめる。次いで、クサビ５４を上方より上部クサビ孔５２・楔着孔６０・下部クサビ孔５３を通して軽く挿入せしめたのち、上方よりクサビ５４を打撃しつつ圧入せしめ、連結金具５１をフランジ５９に楔着せしめることにより水平つなぎ材６１を支柱５８に連結せしめる。しかるのち、下部クサビ孔５３より下方に突出するクサビ５４の先端部に挿着孔５６を介して抜止めピン５７を挿着せしめ、クサビ５４の抜止めを有効に防止せしめるものである。
【０００４】
【特許文献１】
実公平５−４０１９３号公報
【０００５】
【発明が解決しようとする課題】
ところで、上述の如く構成された従来例は、連結金具５１をフランジ５９に嵌合せしめると共に、合致する上部クサビ孔５２・楔着孔６０・下部クサビ孔５３にクサビ５４を圧入して楔着せしめるものであるから、水平つなぎ材６１を支柱５８に容易に、しかも、確実かつ強固に連結せしめることが出来るものである。
しかしながら、楔着せしめたクサビ５４の抜脱を防止せしめるべく事後的に抜止めピン５７を挿着せしめるものであるから、その作業が非常に面倒で煩しいのみならず時間がかかり、全体として連結時における作業能率の低下を招来せしめるものとなっていた。
【０００６】
本発明は従来の問題点を解決し、仮設足場を構成する支柱に水平つなぎ材や手摺わくなど所要の仮設部材を迅速、かつ確実に、しかも強固に極めて作業能率よく連結せしめることが出来るのみならず、クサビの抜脱を有効に防止せしめることが出来る仮設足場用連結具を提供しようとするものである。
【０００７】
【課題を解決するための手段】
上記の目的を達成するため、本発明の請求項１記載の発明は、仮設足場用支柱に所要の足場部材を連結せしめるべく略コ字形状に形成された連結金具と、該連結金具を被楔着部材付き支柱に楔着せしめるべく所要の長さに形成されたクサビとよりなり、上記連結金具はその上下自由端部に各々略長方形状の上下部クサビ孔が互いに直交すべく形成され、他方、クサビはその基部が連結金具の上部クサビ孔に挿入自在な横断面略長方形状に、同先部が上下部クサビ孔に挿入自在な横断面略正方形状に各々形成されると共に、該先部には上部クサビ孔に挿入して所要角度に回転作動せしめるべく小径部が形成され、かつ、先部の先端には上下部クサビ孔に挿入自在とされた所要幅の抜止め突起が基部長辺部に対して直交状に突設されてなることを特徴とする、仮設足場用連結具を要旨とするものである。
【０００８】
上記請求項１記載の仮設足場用連結部において、クサビの小径部は先部の所要角部を切欠いて形成せしめられている。
【０００９】
【発明の実施の形態】
以下に、本発明の実施の形態を図面に示す一実施例に基づいて説明する。
図１〜図８は本発明の一実施例を示すもので、同図中、１は肉厚な略コ字形状とされた連結金具、２・３は該連結金具１の上下自由端部に各々互いに直交すべく形成された略長方形状の上部クサビ孔と下部クサビ孔、４は後記するクサビ５の挿入をガイドせしめるべく上部クサビ孔２の基端側側壁を切欠いて形成された傾斜面状のガイド部で、上記連結金具１は後記する手摺わく１３を構成する筋かい１６の自由端に各々固着せしめるものとされている。５は所要の長さを備えたクサビで、該クサビ５の基部６は上記連結金具１の上部クサビ孔２に挿入せしめるべく若干小径状の横断面略長方形状に形成され、同先部７は上下部クサビ孔２・３に挿入せしめるべくその短辺部より若干小辺状の辺を有する横断面略正方形状に形成されると共に、該先部７の先端には上下部クサビ孔２・３に各々挿入せしめるべく所要幅の抜止め突起８が基部６長辺部に対して直交状に突設されている。９はクサビ５を上部クサビ孔２に挿入して所定角度に回転作動せしめるべく先部７の上端に形成された小径部で、該小径部９は対角線上に位置する一方の角部を切欠くことにより形成されてなり、小径部９の径ｌ１は上部クサビ孔２の短辺長ｌ２より若干小径状とされている。１０はクサビ５の基部６基端に形成されたストッパ−用フランジである。
その他、１１は支柱、１２は該支柱１１の外周面に所定間隔をおいて放射状に形成された被楔着用係合ボックス体、１３は手摺わく、１４は該手摺わく１３を構成する所要長の金属パイプ製水平材、１５は該水平材１４の両端部に各々取付けられた略倒Ｌ字形状の取付け金具、１６は水平材１４の両端側に各々垂下状に枢着された両側一対の筋かいで、該各筋かい１６の自由端には各々連結金具１が固着せしめられている。
【００１０】
上述の如く構成された実施例において、手摺わく１３を支柱１１に連結せしめるさいには、先ず、取付け金具１５を対応する係合ボックス体１２に係合せしめて水平材１４を支柱１１間に架設状に取付ける。しかるのち、両側の筋かい１６を各々所定方向に回動せしめつつ、その自由端に固着せしめた連結金具１を各々対応する係合ボックス体１２に外嵌状に遊嵌せしめると共に、上方よりガイド部４を介して上部クサビ孔２に抜止め突起８を当てがいつつクサビ５の先部７を軽く挿入せしめる（図５参照）。このさい、クサビ５の基部６はその長辺部が上部クサビ孔２の長辺部に対して直交状に位置せしめられている。そして、先部７の小径部９が上部クサビ孔２のガイド部４下端縁に達した時点で挿入を停止せしめると共に、クサビ５を図６に示すように９０度回転作動せしめ、その抜止め突起８を下部クサビ孔３に、基部６を上部クサビ孔２に各々合致せしめる。しかるのち、上方よりクサビ５を打撃してその基部６を上部クサビ孔２・係合ボックス体１２内に、先部７を下部クサビ孔３に各々圧入せしめ、連結金具１を係合ボックス体１２に楔着して手摺わく１３を支柱１１に連結せしめる（図７・８参照）。このさい、抜止め突起８は下部クサビ孔３の下方に突出せしめられ、クサビ５の抜脱を有効に防止せしめるものとされている。
【００１１】
なお、上記実施例において、クサビ５の先部７に形成された小径部９は小幅状に形成されているが、これに限定されるものでなく、上部クサビ孔２に応じて適宜所要の幅に形成せしめるとよい。また、仮設部材として手摺わく１３が示されているが、これに限定されるものでなく、水平つなぎ材など他の仮設部材を支柱１１に連結せしめるさいにも適用せしめることが出来るものである。さらに、連結金具１の被楔着部材として係合ボックス体１２が示されているが、これに限定されるものでなく、楔着孔を備えたフランジなど他の公知の被楔着部材にも適用せしめることが出来るものである。
【００１２】
【発明の効果】
請求項１記載の発明によれば以上の次第で、仮設足場用支柱に所要の足場部材を連結せしめるべく略コ字形状に形成された連結金具と、該連結金具を被楔着部材付き支柱に楔着せしめるべく所要の長さに形成されたクサビとよりなり、上記連結金具はその上下自由端部に各々略長方形状の上下部クサビ孔が互いに直交すべく形成され、他方、クサビはその基部が連結金具の上部クサビ孔に挿入自在な横断面略長方形状に、同先部が上下部クサビ孔に挿入自在な横断面略正方形状に各々形成されると共に、該先部には上部クサビ孔に挿入して所要角度に回転作動せしめるべく小径部が形成され、かつ、先部の先端には上下部クサビ孔に挿入自在とされた所要幅の抜止め突起が基部長辺部に対して直交状に突設されているから、連結金具を被楔着部材に外嵌せしめ、上部クサビ孔にクサビの抜止め突起と先部を順次挿入せしめると共に、小径部を介してクサビを回転作動せしめつつ抜止め突起を下部クサビ孔に、基部を上部クサビ孔に各々合致せしめたのち、クサビを打撃しつつ基部および先部を各々上下部クサビ孔と被楔着部材に圧入して楔着せしめることが出来るものであって、クサビ自体に抜止め突起が一体形成されているにも拘わらずその楔着作業を極めて容易に、しかも確実、かつ強固に作業能率よく行うことが出来るものである。
【００１３】
請求項２記載の発明によれば以上の次第で、クサビの小径部は先部の所要角部を切欠いて形成するものであるから、クサビの強度を低下せしめることなく簡単に形成せしめることが出来るものである。
【図面の簡単な説明】
【図１】本発明の一実施例を示す斜視図である。
【図２】実施例のクサビ５における小径部９を示す横断面図である。
【図３】実施例の連結金具１を示す平面図である。
【図４】図３のＩ−Ｉ線に沿う断面図である。
【図５】実施例のクサビ５における先部７を連結金具１の上部クサビ孔２に挿入せしめた状態を示す一部破断側面図である。
【図６】実施例のクサビ５を連結金具１の上部クサビ孔２に挿入して回転作動せしめる状態を示す横断面図である。
【図７】実施例の連結金具１とクサビ５により手摺わく１３を支柱１１に連結せしめた状態を示す正面図である。
【図８】図７のＡ部拡大正面図である。
【図９】従来例を使用状態と共に示す断面図である。
【符号の説明】
１    連結金具
２    上部クサビ孔
３    下部クサビ孔
５    クサビ
６    基部
７    先部
８    抜止め突起
９    小径部
１１  支柱
１２  係合ボックス体
１３  手摺わく
【図１】
2004360187.tif 000003
【図２】
2004360187.tif 000004
【図３】
2004360187.tif 000005
【図４】
2004360187.tif 000006
【図５】
2004360187.tif 000007
【図６】
2004360187.tif 000008
【図７】
2004360187.tif 000009
【図８】
2004360187.tif 000010
【図９】
2004360187.tif 000011